(57)【要約】【課題】  診断時や治療時などに着脱が容易であり着用者の羞恥心を和らげることができる医療用パンツを提供する。【解決手段】  医療用パンツ１は、前部２と後部３とが両側部１ａ，１ｂで分離可能なパンツである。連結部５は、前部２と後部３とを胴囲部１ｇで着脱自在に連結する部分である。連結部５は、着用時には前部２と後部３とを連結して切断部１ｃ，１ｄを閉じた状態にし、脱衣時には前部２と後部３とを分離して切断部１ｃ，１ｄを開いた状態にする面ファスナ５ｃ，５ｄを備えている。医療用パンツ１は、静脈瘤の診断時や硬化療法時に下着の上から重ねて着用される。その結果、医療用パンツ１によって下着を覆うことができるため、診断時や治療時に患者が足を上げても下着が過度に露出するのを防止することができ、患者の羞恥心を和らげることができる。【選択図】      図３
2005139564.tif 000002
【特許請求の範囲】
【請求項１】
前部と後部とが両側部で分離可能な医療用パンツであって、
前記前部と前記後部とを着脱自在に連結する連結部を備えること、
を特徴とする医療用パンツ。
【請求項２】
請求項１に記載の医療用パンツにおいて、
前記連結部は、前記前部と前記後部とを胴囲部で着脱自在に連結すること、
を特徴とする医療用パンツ。
【請求項３】
請求項２に記載の医療用パンツにおいて、
前記連結部は、前記前部と前記後部とを前記胴囲部と裾部との間で着脱自在に連結すること、
を特徴とする医療用パンツ。
【請求項４】
請求項１から請求項３までのいずれか１項に記載の医療用パンツにおいて、
前記連結部は、着用者の体型に合わせて胴囲寸法を調整可能なように、前記前部と前記後部とを着脱自在に連結する面ファスナを備えること、
を特徴とする医療用パンツ。
【請求項５】
請求項１から請求項４までのいずれか１項に記載の医療用パンツにおいて、
外観形状がトランクス型であること、
を特徴とする医療用パンツ。
【発明の詳細な説明】
【技術分野】
【０００１】
この発明は、前部と後部とが両側部で分離可能な医療用パンツに関する。
【背景技術】
【０００２】
従来の下着は、両側部の裾部に形成された縦割れスリット部と、この縦割れスリット部を着脱自在に開閉するホック部などを備えている（例えば、特許文献１参照）。このような従来の下着は、通常時には両側のホック部を掛け止めして縦割りスリット部を閉じておき、用足し時には片側のホック部を外して縦割れスリット部を開放し、前部又は後部を左右にずらして股間を迅速に開放して使用される。
【０００３】
【特許文献１】登録実用新案第3020453号公報（段落番号0013及び図２）
【発明の開示】
【発明が解決しようとする課題】
【０００４】
長時間立って仕事をする人や産後の婦人などには、下肢の静脈が部分的に拡張する下肢静脈瘤が発生することがある。このような下肢静脈瘤の手術後には、血管（静脈）内に硬化剤を注射して炎症を起こさせて血管を固める硬化療法を行うことが多い。この硬化療法は、硬化剤を注入すると硬化した血管の変わりにその付近にある多くの血管が血流を補うため患者に心配がなく、注射による治療であるため傷も残らない利点がある。しかし、下肢静脈瘤の手術前には、患者がパジャマのズボンを脱ぎ下着一枚の状態で両足を露出させて処置台上に立つ必要があり、医師が患者の足を持ち上げて患部を診察したり、患部に黒インキで印を付けたりする必要がある。また、硬化療法時にも、患者が下着一枚の状態で両足を露出させて処置台上に横たわり、医師が患者の足を持ち上げたり、黒インキで印を付けた患部に薬剤を注射したりする必要がある。このため、下着一枚の状態で患者が処置台上で診断や治療を受けるのは、患者にとって立位的、姿勢的に羞恥心を伴う。特に、静脈瘤は女性患者に多く、下着の上をタオルなどで覆っても足を上げた姿勢では下着の股部分が露出してしまうため、医師が男性である場合には患者にとって相当な羞恥心を伴うという問題があった。
【０００５】
この発明の課題は、診断時や治療時などに着脱が容易であり着用者の羞恥心を和らげることができる医療用パンツを提供することである。
【課題を解決するための手段】
【０００６】
この発明は、以下に記載するような解決手段により、前記課題を解決する。
なお、この発明の実施形態に対応する符号を付して説明するが、この実施形態に限定するものではない。
請求項１の発明は、前部（２）と後部（３）とが両側部（１ａ，１ｂ）で分離可能な医療用パンツであって、前記前部と前記後部とを着脱自在に連結する連結部（５；９）を備えることを特徴とする医療用パンツ（１）である。
【０００７】
請求項２の発明は、請求項１に記載の医療用パンツにおいて、前記連結部（５）は、前記前部と前記後部とを胴囲部（１ｇ）で着脱自在に連結することを特徴とする医療用パンツである。
【０００８】
請求項３の発明は、請求項２に記載の医療用パンツにおいて、前記連結部（９）は、前記前部と前記後部とを前記胴囲部と裾部（１ｅ，１ｆ）との間で着脱自在に連結することを特徴とする医療用パンツである。
【０００９】
請求項４の発明は、請求項１から請求項３までのいずれか１項に記載の医療用パンツにおいて、前記連結部は、着用者の体型に合わせて胴囲寸法を調整可能なように、前記前部と前記後部とを着脱自在に連結する面ファスナ（５ｃ，５ｄ；９ｃ，９ｄ）を備えることを特徴とする医療用パンツである。
【００１０】
請求項５の発明は、請求項１から請求項４までのいずれか１項に記載の医療用パンツにおいて、外観形状がトランクス型であることを特徴とする医療用パンツである。
【発明の効果】
【００１１】
この発明によると、診断時や治療時などに着脱が容易であり着用者の羞恥心を和らげることができる。
【発明を実施するための最良の形態】
【００１２】
（第１実施形態）
以下、図面を参照して、この発明の第１実施形態について詳しく説明する。
図１は、この発明の第１実施形態に係る医療用パンツを着用した状態を示す正面図である。図２は、この発明の第１実施形態に係る医療用パンツを着用した状態を示す側面図である。図３は、この発明の第１実施形態に係る医療用パンツの前部と後部とを連結した状態を示す平面図である。図４は、この発明の第１実施形態に係る医療用パンツの前部と後部とを分離した状態を示す平面図である。
【００１３】
医療用パンツ１は、前部２と後部３とが両側部１ａ，１ｂで分離可能なパンツである。医療用パンツ１は、図１及び図２に示すように、外観形状がトランクス型であり、繰り返し洗濯が可能なように綿や絹などの織物やニットなどの布地を縫製されている。医療用パンツ１は、動脈瘤の診断時や動脈瘤の手術後の硬化療法時などに患者によって下着（下穿き）の上から重ねて着用される。医療用パンツ１は、図１〜図４に示すように、着用者の下腹部を覆う前部２と、着用者の臀部を覆う後部３と、着用者の股間部を覆う股部４と、前部２と後部３とを着脱自在に連結する連結部５とから構成されている。医療用パンツ１の両側部１ａ，１ｂには、前部２と後部３とが完全に分離するようにこれらを切断する切断部１ｃ，１ｄが形成されており、この切断部１ｃ，１ｄは裾部１ｅ，１ｆから胴囲部１ｇ，１ｈまで両側部１ａ，１ｂに沿って縦方向に形成されている。医療用パンツ１の前部２には、図１及び図３に示すように、前部２と後部３とを誤って着用するのを防止するために、容易に識別可能な識別部１ｉが形成されており、この識別部１ｉには例えば静脈瘤を意味する「VARIX」の文字が刺繍されている。
【００１４】
連結部５は、前部２と後部３とを胴囲部１ｇで着脱自在に連結する部分である。連結部５は、着用時には、図１〜図３に示すように前部２と後部３とを連結して切断部１ｃ，１ｄを閉じた状態にし、脱衣時には、図４に示すように前部２と後部３とを分離して切断部１ｃ，１ｄを開いた状態にする。連結部５は、図２及び図３に示すように、帯状部５ａ，５ｂと面ファスナ５ｃ，５ｄとを備えている。帯状部５ａ，５ｂは、後部３の両側部１ａ，１ｂ寄りの胴囲部１ｈに縫い付けられた部分であり、医療用パンツ１と同様の布地で縫製されている。面ファスナ５ｃ，５ｄは、着用者の体型に合わせて胴囲寸法を調整可能なように、前部２と後部３とを着脱自在に連結するファスナ（例えば、商品名：マジックテープ）などである。図３に示すように、面ファスナ５ｃは帯状部５ａ，５ｂの前部２と対向する側の面（帯状部５ａ，５ｂの裏面）に縫い付けられており、面ファスナ５ｄは胴囲部１ｇにそれぞれ縫い付けられている。面ファスナ５ｃ，５ｄには、一方の表面に多数の突起部が形成されており、他方の表面にこれらの突起部と引っ掛かる環状部が形成されている。
【００１５】
次に、この発明の第１実施形態に係る医療用パンツの使用方法を説明する。
図５は、この発明の第１実施形態に係る医療用パンツの使用方法を説明するための図であり、図５（Ａ）は医療用パンツを着用して処置台上に立った状態を示し、図５（Ｂ）は注射針を刺した状態を示し、図５（Ｃ）（Ｄ）は薬液を注入する状態を示し、図５（Ｅ）は包帯を巻いた状態を示す。
【００１６】
パジャマのズボンを脱いで下着１枚の状態になった後に、図４に示す医療用パンツ１の前部２又は後部３を患者の股間部から通過させて、下腹部及び臀部にそれぞれ前部２及び後部３を合わせるとともに患者の股間部を股部４に合わせる。次に、胴囲寸法を患者の胴囲に合わせて調整して、図３に示すように面ファスナ５ｃと面ファスナ５ｄとを重ね合わせ接合させ、図５（Ａ）に示すように下着の上から医療用パンツ１を重ねて着用する。この状態で処置台６上に患者を立たせて医師が診断し、静脈瘤の発生箇所に黒インクなどによって印を付けた後に、静脈瘤の手術を行う。次に、図５（Ｂ）に示すように、硬化療法の必要な血管に注射針（細い翼状針）７を刺した後に、図５（Ｃ）に示すように処置台６上に患者を仰向けに横たわらせて注射針７に医師が薬液を注入する。図５（Ｄ）に示すように、治療箇所によっては処置台６上に患者をうつ伏せに横たわらせて、医師が注射針７に薬液を注入する場合もある。次に、図５（Ｅ）に示すように、注射針７を抜き取りながら注射跡に綿球を当てて足先からややきつめに包帯８を巻き、包帯８がずれないように包帯８をテープで固定する。最後に、図３に示すように、面ファスナ５ｃを面ファスナ５ｄから引き剥がすとともに、図４に示すように前部２と後部３とを両側部１ａ，１ｂで分離させて医療用パンツ１を脱ぎ、パジャマのズボンに穿き返る。
【００１７】
この発明の第１実施形態に係る医療用パンツには、以下に記載するような効果がある。
(1) この第１実施形態では、医療用パンツ１の前部２と後部３とを連結部５が着脱自在に連結する。その結果、例えば、静脈瘤の診断時や硬化療法時に医療用パンツ１を下着の上から重ねて着用することによって、医療用パンツ１によって下着を覆うことができる。このため、診断時や治療時に患者が足を上げても下着が過度に露出するのを防止することができ、患者の羞恥心を和らげることができる。また、医療用パンツ１を着用するときには、前部２又は後部３を患者の股間部から通過させた後に、前部２と後部３とを連結部５によって連結することができるため医療用パンツ１を簡単に着用することができる。さらに、通常のパンツを下着の上に重ねて着用した場合には、硬化療法後に包帯を巻いたときにこの包帯の厚みにより足が太くなるため、パンツの裾部などが包帯に引っ掛かり容易にパンツを脱ぐことができない。しかし、この第１実施形態では、連結部５を外すだけで前部２と後部３とを分離することができるため医療用パンツ１を簡単に脱ぐことができる。特に、図５に示す硬化療法では包帯８を比較的きつく巻くため容易に膝を屈伸させることができないが、連結部５を外して前部２又は後部３を引き抜くだけで医療用パンツ１を簡単に脱がすことができる。
【００１８】
(2) この第１実施形態では、前部２と後部３とを連結部５が胴囲部１ｇで着脱自在に連結する。このため、前部２と後部３とを連結部５によって連結した状態では、両側部１ａ，１ｂに裾部１ｅ，１ｆから縦方向に所定長さのスリット部が形成される。その結果、大腿部の太い患者であってもスリット部によって前部２と後部３とが僅かに開くため、医療用パンツ１によって大腿部が締め付けられ圧迫されることがなく無理なく着用することができる。
【００１９】
(3) この第１実施形態では、着用者の体型に合わせて胴囲寸法を調整可能なように、前部２と後部３とを着脱自在に連結する面ファスナ５ｃ，５ｄを備える。その結果、着用者の体型に合わせて複数種類のサイズの医療用パンツ１を用意する必要がなくなり、着用者の体型を選ばずに医療用パンツ１を使用することができる。
【００２０】
(4) この第１実施形態では、外観形状がトランクス型であるため、男性患者だけではなく女性患者にも違和感なく着用することができるとともに、下着の上に重ねて着用しても圧迫感が少なく、診断時や治療時に無理なく足を上げたり簡単に姿勢を変えたりすることができる。
【００２１】
（第２実施形態）
図６は、この発明の第２実施形態に係る医療用パンツを着用した状態を示す正面図である。図７は、この発明の第２実施形態に係る医療用パンツを着用した状態を示す側面図である。以下では、図１〜図４に示す部分と同一の部分については、同一の番号を付して詳細な説明を省略する。
【００２２】
図６及び図７に示す連結部９は、前部２と後部３とを胴囲部１ｇと裾部１ｅ，１ｆとの間で着脱自在に連結する部分である。連結部９は、図１〜図４に示す連結部５と同一構造であり、胴囲部１ｇと裾部１ｅ，１ｆとの間の後部３の両側部１ａ，１ｂ寄りに縫い付けられた帯状部９ａ，９ｂと、着用者の体型に合わせて胴囲寸法を調整可能なように、前部２と後部３とを着脱自在に連結する面ファスナ９ｃ，９ｄとを備えている。この第２実施形態では、第１実施形態の効果に加えて、図１に示すように大腿部の太い患者が診断時や治療時に足を上げた場合に、下着が露出するのを可能な限り防ぐことができる。
【００２３】
（他の実施形態）
この発明は、以上説明した実施形態に限定するものではなく、以下に記載するように種々の変形又は変更が可能であり、これらもこの発明の範囲内である。例えば、この発明の実施形態では、静脈瘤の診断時や硬化療法時に下着の上に重ねて医療用パンツ１を着用する場合を例に挙げて説明したがこのような使用方法に限定するものではない。例えば、傷病の診断や治療だけではなく、健康の増進、傷病の予防や後処理、リハビリテーションなどを目的として着用される医療用パンツとしてこの発明を適用することができる。特に、介護が必要な高齢者やギブスを装着した患者などが着用する下着として使用することもできる。この場合に、排尿の介助などをするときに患者が横たわった状態で医療用パンツ１を簡単に着脱することができるため、患者の臀部を持ち上げる必要がなく容易に介助することができる。また、この実施形態では、面ファスナ５ｃ，５ｄ，９ｃ，９ｄを例に挙げて説明したが、着用者の体型に合わせて胴囲寸法を調整可能な紐、ベルト、ホック又はボタンなどを利用することもできる。
【図面の簡単な説明】
【００２４】
【図１】この発明の第１実施形態に係る医療用パンツを着用した状態を示す正面図である。
【図２】この発明の第１実施形態に係る医療用パンツを着用した状態を示す側面図である。
【図３】この発明の第１実施形態に係る医療用パンツの前部と後部とを連結した状態を示す平面図である。
【図４】この発明の第１実施形態に係る医療用パンツの前部と後部とを分離した状態を示す平面図である。
【図５】この発明の第１実施形態に係る医療用パンツの使用方法を説明するための図であり、（Ａ）は医療用パンツを着用して処置台上に立った状態を示し、（Ｂ）は注射針を刺した状態を示し、（Ｃ）（Ｄ）は薬液を注入する状態を示し、（Ｅ）は包帯を巻いた状態を示す。
【図６】この発明の第２実施形態に係る医療用パンツを着用した状態を示す正面図である。
【図７】この発明の第２実施形態に係る医療用パンツを着用した状態を示す側面図である。
【符号の説明】
【００２５】
１  医療用パンツ
１ａ，１ｂ  両側部
１ｃ，１ｄ  切断部
１ｅ，１ｆ  裾部
１ｇ，１ｈ  胴囲部
１ｉ  識別部
２  前部
３  後部
４  股部
５  連結部
５ａ，５ｂ  帯状部
５ｃ，５ｄ  面ファスナ
９  連結部
９ａ，９ｂ  帯状部
９ｃ，９ｄ  面ファスナ
【図１】
2005139564.tif 000003
【図２】
2005139564.tif 000004
【図３】
2005139564.tif 000005
【図４】
2005139564.tif 000006
【図５】
2005139564.tif 000007
【図６】
2005139564.tif 000008
【図７】
2005139564.tif 000009